(57)【特許請求の範囲】
【請求項１】
１０容量％留出温度が１４０℃以上かつ９０容量％留出温度が３８０℃以下である原料油から炭素数６〜８の単環芳香族炭化水素を製造する単環芳香族炭化水素の製造方法であって、
前記原料油を、結晶性アルミノシリケートを含有する単環芳香族炭化水素製造用触媒に接触させ、反応させて、炭素数６〜８の単環芳香族炭化水素、及び炭素数９以上の重質留分を含む生成物を得る分解改質反応工程と、
前記分解改質反応工程から導出される、前記生成物と該生成物に僅かに同伴される前記単環芳香族炭化水素製造用触媒とからなる混合物から、前記単環芳香族炭化水素製造用触媒を前記生成物中に含まれる３環芳香族炭化水素とともに分離除去する触媒分離工程と、
前記分解改質反応工程にて生成した生成物より分離された炭素数６〜８の単環芳香族炭化水素を精製し、回収する精製回収工程と、を有することを特徴とする単環芳香族炭化水素の製造方法。
【請求項２】
前記触媒分離工程から導出された導出物より少なくとも炭素数６〜８の単環芳香族炭化水素と炭素数９以上の重質留分とを分離する分離工程を有し、
前記触媒分離工程において、前記分解改質反応工程にて生成した生成物を複数の留分に分離する前記分離工程にて分離された重質留分を、前記分解改質反応工程から導出される、前記生成物と該生成物に同伴される前記単環芳香族炭化水素製造用触媒とからなる混合物に接触させることにより、当該混合物から前記単環芳香族炭化水素製造用触媒を除去することを特徴とする請求項１に記載の単環芳香族炭化水素の製造方法。
【請求項３】
前記分離工程にて分離された重質留分は、３環芳香族炭化水素を主成分として含むことを特徴とする請求項１または２に記載の単環芳香族炭化水素の製造方法。
【発明の詳細な説明】
【技術分野】
【０００１】
本発明は、接触芳香族製造反応により単環芳香族炭化水素を製造する方法に関する。
【背景技術】
【０００２】
流動接触分解装置で生成する分解軽油であるライトサイクル油（以下、「ＬＣＯ」という。）は、多環芳香族炭化水素を多く含み、軽油または重油として利用されていた。しかし、近年、ＬＣＯから、高オクタン価ガソリン基材や石油化学原料として利用でき、付加価値の高い単環芳香族炭化水素（例えば、ベンゼン、トルエン、キシレン、エチルベンゼン等）を得ることが提案されている（例えば、特許文献１〜４参照）。
【先行技術文献】
【特許文献】
【０００３】
【特許文献１】特開平３−２１２８号公報
【特許文献２】特開平３−５２９９３号公報
【特許文献３】特開平３−２６７９１号公報
【特許文献４】国際公開第２０１０／１０９８９９号パンフレット
【発明の概要】
【発明が解決しようとする課題】
【０００４】
しかしながら、特許文献１〜４に記載の方法では、炭素数６〜８の単環芳香族炭化水素の収率が必ずしも充分に高いとは言えなかった。すなわち、前記方法では、目的とする炭素数６〜８の単環芳香族炭化水素以外の、付加価値が比較的低い副生品が多く生成していた。
【０００５】
本発明は前記課題を解決するためになされたもので、多環芳香族炭化水素を含む原料油から高い収率で炭素数６〜８の単環芳香族炭化水素を製造できる、単環芳香族炭化水素の製造方法を提供することを目的とする。
【課題を解決するための手段】
【０００６】
［１］１０容量％留出温度が１４０℃以上かつ９０容量％留出温度が３８０℃以下である原料油から炭素数６〜８の単環芳香族炭化水素を製造する単環芳香族炭化水素の製造方法であって、前記原料油を、結晶性アルミノシリケートを含有する単環芳香族炭化水素製造用触媒に接触させ、反応させて、炭素数６〜８の単環芳香族炭化水素、及び炭素数９以上の重質留分を含む生成物を得る分解改質反応工程と、前記分解改質反応工程から導出される、前記生成物と該生成物に僅かに同伴される前記単環芳香族炭化水素製造用触媒とからなる混合物から、前記単環芳香族炭化水素製造用触媒を前記生成物中に含まれる３環芳香族炭化水素とともに分離除去する触媒分離工程と、前記分解改質反応工程にて生成した生成物より分離された炭素数６〜８の単環芳香族炭化水素を精製し、回収する精製回収工程と、を有することを特徴とする。
［２］前記触媒分離工程から導出された導出物より少なくとも炭素数６〜８の単環芳香族炭化水素と炭素数９以上の重質留分とを分離する分離工程を有し、前記触媒分離工程において、前記分解改質反応工程にて生成した生成物を複数の留分に分離する前記分離工程にて分離された重質留分を、前記分解改質反応工程から導出される、前記生成物と該生成物に同伴される前記単環芳香族炭化水素製造用触媒とからなる混合物に接触させることにより、当該混合物から前記単環芳香族炭化水素製造用触媒を除去することを特徴とする［１］に記載の単環芳香族炭化水素の製造方法。
［３］前記分離工程にて分離された重質留分は、３環芳香族炭化水素を主成分として含むことを特徴とする［１］または［２］に記載の単環芳香族炭化水素の製造方法。
【発明の効果】
【０００７】
本発明の単環芳香族炭化水素の製造方法によれば、多環芳香族炭化水素を含む原料油から高い収率で炭素数６〜８の単環芳香族炭化水素を製造することができる。
特に、触媒分離工程において、分解改質反応工程から導出される生成物と、その生成物に同伴される僅かな単環芳香族炭化水素製造用触媒を分離、除去するので、後段の処理を閉塞の問題や機器類に支障を来すことなく円滑に行うことができる。
【図面の簡単な説明】
【０００８】
【図１】本発明の単環芳香族炭化水素の製造方法の実施形態を説明するための図である。
【発明を実施するための形態】
【０００９】
以下、本発明の単環芳香族炭化水素の製造方法の実施形態について説明する。
本実施形態の単環芳香族炭化水素の製造方法は、原料油から炭素数６〜８の単環芳香族炭化水素を製造する方法であって、以下の（ａ）〜（ｆ）の工程を有する方法である。また、図１は、本実施形態を説明するための、製造プラントの概略構成図である。
【００１０】
（ａ）原料油を、分解改質反応器１０によって単環芳香族炭化水素製造用触媒に接触させ、反応させて、炭素数６〜８の単環芳香族炭化水素、及び炭素数９以上の重質留分を含む生成物を得る分解改質反応工程
（ｂ）分解改質反応工程から導出される、生成物とその生成物に同伴される単環芳香族炭化水素製造用触媒とからなる混合物から、洗浄塔１２、触媒分離装置１４によって単環芳香族炭化水素製造用触媒を生成物中に含まれる３環芳香族炭化水素とともに分離除去する触媒分離工程
（ｃ）触媒分離工程から導出された導出物より少なくとも炭素数６〜８の単環芳香族炭化水素（ベンゼン／トルエン／キシレン）と炭素数９以上の重質留分とを、第１分離装置１６、第２分離装置１８によって分離する分離工程
（ｄ）分離工程で分離された炭素数６〜８の単環芳香族炭化水素を精製回収装置２０によって精製回収する精製回収工程
（ｅ）分離工程において、触媒分離工程から導出された導出物より分離された３環芳香族炭化水素を、返送ライン２４、２６によって触媒分離工程に供給する３環芳香族炭化水素供給工程
（ｆ）分離工程にて分離したガス成分から、分解改質反応工程にて副生した水素を水素回収装置３０によって回収する水素回収工程
【００１１】
前記（ａ）〜（ｆ）の工程のうち、（ａ），（ｂ），（ｄ）の工程は本願請求項１に係る発明における必須の工程であり、（ｃ），（ｅ），（ｆ）の工程は任意の工程である。
以下、各工程について具体的に説明する。
【００１２】
以下、各工程について具体的に説明する。
＜分解改質反応工程＞
分解改質反応工程では、原料油を、単環芳香族炭化水素製造用触媒を充填した分解改質反応器１０内に導入し、前記単環芳香族炭化水素製造用触媒に接触させ、反応させる。これにより、原料油に含まれる飽和炭化水素を水素供与源とし、飽和炭化水素からの水素移行反応によって多環芳香族炭化水素を部分的に水素化し、開環させて単環芳香族炭化水素に転換する。また、原料油中もしくは分解過程で得られる飽和炭化水素を環化、脱水素することによっても単環芳香族炭化水素に転換できる。さらには、炭素数９以上の単環芳香族を分解することによって、炭素数６〜８の単環芳香族炭化水素を得ることもできる。
【００１３】
ただし、３環芳香族炭化水素は、例えば、水素化反応物であっても分解改質反応工程での反応性が低いため、ほとんど単環芳香族炭化水素に転換されることなく、他の生成物とともに導出される。なお、生成物には、単環芳香族炭化水素以外にも、水素、メタン、エタン、ＬＰＧ、炭素数９以上の重質留分などが含まれる。
また、この分解改質反応工程では、前記生成物を導出する際、該生成物に同伴されることで前記単環芳香族炭化水素製造用触媒も僅かに導出する。したがって、この分解改質反応工程では、前記分解改質反応器１０から前記生成物と前記単環芳香族炭化水素製造用触媒との混合物を導出する。
【００１４】
（原料油）
本発明で使用される原料油は、１０容量％留出温度が１４０℃以上かつ９０容量％留出温度が３８０℃以下の油である。１０容量％留出温度が１４０℃未満の油では、軽質のものから単環芳香族炭化水素を製造することになり、本発明の多環芳香族炭化水素を含む原料油から単環芳香族炭化水素を製造するという主旨にそぐわなくなる。また、９０容量％留出温度が３８０℃を超える油を用いた場合には、単環芳香族炭化水素の収率が低くなる上に、単環芳香族炭化水素製造用触媒上へのコーク堆積量が増大して、触媒活性の急激な低下を引き起こす傾向にある。
原料油の１０容量％留出温度は１５０℃以上であることが好ましく、原料油の９０容量％留出温度は３６０℃以下であることが好ましい。
【００１５】
なお、ここでいう１０容量％留出温度、９０容量％留出温度とは、ＪＩＳ  Ｋ２２５４「石油製品−蒸留試験方法」に準拠して測定される値を意味する。
１０容量％留出温度が１４０℃以上かつ９０容量％留出温度が３８０℃以下である原料油としては、例えば、流動接触分解装置で生成する分解軽油（ＬＣＯ）、ＬＣＯの水素化精製油、石炭液化油、重質油水素化分解精製油、直留灯油、直留軽油、コーカー灯油、コーカー軽油およびオイルサンド水素化分解精製油などが挙げられる。
多環芳香族炭化水素は、反応性が低く、本発明の分解改質反応工程では、単環芳香族炭化水素に転換されにくい物質ではある。しかし、一方、多環芳香族炭化水素が水素化反応工程にて水素化されるとナフテノベンゼン類に転換され、再び分解改質反応工程にリサイクル供給されることで単環芳香族炭化水素に転換可能である。そのため、原料油において多環芳香族炭化水素を多く含むことに関しては特に限定されない。ただし、多環芳香族炭化水素の中でも３環以上の芳香族炭化水素は、水素化反応工程において多くの水素を消費し、かつ水素化反応物であっても分解改質反応工程における反応性が低いため、多く含むことは好ましくない。したがって、原料油中の３環以上の芳香族炭化水素は、２５容量％以下であることが好ましく、１５容量％以下であることがより好ましい。
なお、水素化反応工程でナフテノベンゼンに転換される２環芳香族炭化水素を含有し、かつ３環以上の芳香族炭化水素を削減するための原料油としては、例えば、原料油の９０容量％留出温度が３３０℃以下であることがより好ましい。
【００１６】
また、ここでいう多環芳香族炭化水素とは、ＪＰＩ−５Ｓ−４９「石油製品−炭化水素タイプ試験方法−高速液体クロマトグラフ法」に準拠して測定、あるいはＦＩＤガスクロマトグラフ法または２次元ガスクロマトグラフ法にて分析される２環芳香族炭化水素含有量（２環芳香族分）、および３環以上の芳香族炭化水素含有量（３環以上の芳香族分）の合計値を意味する。以降、多環芳香族炭化水素、２環芳香族炭化水素、３環以上の芳香族炭化水素の含有量が容量％で示されている場合は、ＪＰＩ−５Ｓ−４９に準拠して測定されたものであり、質量％で示されている場合は、ＦＩＤガスクロマトグラフ法または２次元ガスクロマトグラフ法に基づいて測定されたものである。
【００１７】
（反応形式）
原料油を単環芳香族炭化水素製造用触媒と接触、反応させる際の反応形式、すなわち、前記分解改質反応器１０の反応方式としては、固定床、移動床、流動床等が挙げられる。本発明においては、重質分を原料とするため、触媒に付着したコーク分を連続的に除去可能で、かつ安定的に反応を行うことができる流動床が好ましく、反応器と再生器との間を触媒が循環し、連続的に反応−再生を繰り返すことができる、連続再生式流動床が特に好ましい。単環芳香族炭化水素製造用触媒と接触する際の原料油は、気相状態であることが好ましい。また、原料は、必要に応じてガスによって希釈してもよい。
【００１８】
（単環芳香族炭化水素製造用触媒）
単環芳香族炭化水素製造用触媒は、結晶性アルミノシリケートを含有する。
【００１９】
［結晶性アルミノシリケート］
結晶アルミノシリケートは、単環芳香族炭化水素の収率をより高くできることから、中細孔ゼオライトおよび／または大細孔ゼオライトであることが好ましい。
中細孔ゼオライトは、１０員環の骨格構造を有するゼオライトであり、中細孔ゼオライトとしては、例えば、ＡＥＬ型、ＥＵＯ型、ＦＥＲ型、ＨＥＵ型、ＭＥＬ型、ＭＦＩ型、ＮＥＳ型、ＴＯＮ型、ＷＥＩ型の結晶構造のゼオライトが挙げられる。これらの中でも、単環芳香族炭化水素の収率をより高くできることから、ＭＦＩ型が好ましい。
大細孔ゼオライトは、１２員環の骨格構造を有するゼオライトであり、大細孔ゼオライトとしては、例えば、ＡＦＩ型、ＡＴＯ型、ＢＥＡ型、ＣＯＮ型、ＦＡＵ型、ＧＭＥ型、ＬＴＬ型、ＭＯＲ型、ＭＴＷ型、ＯＦＦ型の結晶構造のゼオライトが挙げられる。これらの中でも、工業的に使用できる点では、ＢＥＡ型、ＦＡＵ型、ＭＯＲ型が好ましく、単環芳香族炭化水素の収率をより高くできることから、ＢＥＡ型が好ましい。
【００２０】
結晶性アルミノシリケートは、中細孔ゼオライトおよび大細孔ゼオライト以外に、１０員環以下の骨格構造を有する小細孔ゼオライト、１４員環以上の骨格構造を有する超大細孔ゼオライトを含有してもよい。
ここで、小細孔ゼオライトとしては、例えば、ＡＮＡ型、ＣＨＡ型、ＥＲＩ型、ＧＩＳ型、ＫＦＩ型、ＬＴＡ型、ＮＡＴ型、ＰＡＵ型、ＹＵＧ型の結晶構造のゼオライトが挙げられる。
超大細孔ゼオライトとしては、例えば、ＣＬＯ型、ＶＰＩ型の結晶構造のゼオライトが挙げられる。
【００２１】
分解改質反応工程を固定床の反応とする場合、単環芳香族炭化水素製造用触媒における結晶性アルミノシリケートの含有量は、単環芳香族炭化水素製造用触媒全体を１００質量％とした際の６０〜１００質量％が好ましく、７０〜１００質量％がより好ましく、９０〜１００質量％が特に好ましい。結晶性アルミノシリケートの含有量が６０質量％以上であれば、単環芳香族炭化水素の収率を十分に高くできる。
分解改質反応工程を流動床の反応とする場合、単環芳香族炭化水素製造用触媒における結晶性アルミノシリケートの含有量は、単環芳香族炭化水素製造用触媒全体を１００質量％とした際の２０〜６０質量％が好ましく、３０〜６０質量％がより好ましく、３５〜６０質量％が特に好ましい。結晶性アルミノシリケートの含有量が２０質量％以上であれば、単環芳香族炭化水素の収率を充分に高くできる。結晶性アルミノシリケートの含有量が６０質量％を超えると、触媒に配合できるバインダーの含有量が少なくなり、流動床用として適さないものになることがある。
【００２２】
［リン、ホウ素］
単環芳香族炭化水素製造用触媒においては、リンおよび／またはホウ素を含有することが好ましい。単環芳香族炭化水素製造用触媒がリンおよび／またはホウ素を含有すれば、単環芳香族炭化水素の収率の経時的な低下を防止でき、また、触媒表面のコーク生成を抑制できる。
【００２３】
単環芳香族炭化水素製造用触媒にリンを含有させる方法としては、例えば、イオン交換法、含浸法等により、結晶性アルミノシリケートまたは結晶性アルミノガロシリケートまたは結晶性アルミノジンコシリケートにリンを担持する方法、ゼオライト合成時にリン化合物を含有させて結晶性アルミノシリケートの骨格内の一部をリンと置き換える方法、ゼオライト合成時にリンを含有した結晶促進剤を用いる方法、などが挙げられる。その際に用いるリン酸イオン含有水溶液は特に限定されないが、リン酸、リン酸水素二アンモニウム、リン酸二水素アンモニウムおよびその他の水溶性リン酸塩などを任意の濃度で水に溶解させて調製したものを好ましく使用できる。
単環芳香族炭化水素製造用触媒にホウ素を含有させる方法としては、例えば、イオン交換法、含浸法等により、結晶性アルミノシリケートまたは結晶性アルミノガロシリケートまたは結晶性アルミノジンコシリケートにホウ素を担持する方法、ゼオライト合成時にホウ素化合物を含有させて結晶性アルミノシリケートの骨格内の一部をホウ素と置き換える方法、ゼオライト合成時にホウ素を含有した結晶促進剤を用いる方法、などが挙げられる。
【００２４】
単環芳香族炭化水素製造用触媒におけるリンおよび／またはホウ素の含有量は、触媒全体を１００質量％とした際の０．１〜１０質量％であることが好ましく、０．５〜９質量％であることがより好ましく、０．５〜８質量％であることがさらに好ましい。触媒全質量に対するリンおよび／またはホウ素の含有量が０．１質量％以上であれば、経時的な単環芳香族炭化水素の収率低下を防止でき、１０質量％以下であることで、単環芳香族炭化水素の収率を高くできる。
【００２５】
［ガリウム、亜鉛］
単環芳香族炭化水素製造用触媒には、必要に応じて、ガリウムおよび／または亜鉛を含有させることができる。ガリウムおよび／または亜鉛を含有させれば、単環芳香族炭化水素の生成割合をより多くできる。
【００２６】
単環芳香族炭化水素製造用触媒におけるガリウム含有の形態としては、結晶性アルミノシリケートの格子骨格内にガリウムが組み込まれたもの（結晶性アルミノガロシリケート）、結晶性アルミノシリケートにガリウムが担持されたもの（ガリウム担持結晶性アルミノシリケート）、その両方を含んだものが挙げられる。
単環芳香族炭化水素製造用触媒における亜鉛含有の形態としては、結晶性アルミノシリケートの格子骨格内に亜鉛が組み込まれたもの（結晶性アルミノジンコシリケート）、結晶性アルミノシリケートに亜鉛が担持されたもの（亜鉛担持結晶性アルミノシリケート）、その両方を含んだものが挙げられる。
【００２７】
結晶性アルミノガロシリケート、結晶性アルミノジンコシリケートは、ＳｉＯ４、ＡｌＯ４およびＧａＯ４／ＺｎＯ４構造が骨格中に存在する構造を有する。また、結晶性アルミノガロシリケート、結晶性アルミノジンコシリケートは、例えば、水熱合成によるゲル結晶化、結晶性アルミノシリケートの格子骨格中にガリウムまたは亜鉛を挿入する方法、または結晶性ガロシリケートまたは結晶性ジンコシリケートの格子骨格中にアルミニウムを挿入する方法により得られる。
【００２８】
ガリウム担持結晶性アルミノシリケートは、結晶性アルミノシリケートにガリウムをイオン交換法、含浸法等の公知の方法によって担持したものである。その際に用いるガリウム源としては、特に限定されないが、硝酸ガリウム、塩化ガリウム等のガリウム塩、酸化ガリウム等が挙げられる。
亜鉛担持結晶性アルミノシリケートは、結晶性アルミノシリケートに亜鉛をイオン交換法、含浸法等の公知の方法によって担持したものである。その際に用いる亜鉛源としては、特に限定されないものの、硝酸亜鉛、塩化亜鉛等の亜鉛塩、酸化亜鉛等が挙げられる。
【００２９】
単環芳香族炭化水素製造用触媒がガリウムおよび／または亜鉛を含有する場合、単環芳香族炭化水素製造用触媒におけるガリウムおよび／または亜鉛の含有量は、触媒全体を１００質量％とした際の０．０１〜５．０質量％であることが好ましく、０．０５〜２．０質量％であることがより好ましい。ガリウムおよび／または亜鉛の含有量が０．０１質量％以上であれば、単環芳香族炭化水素の生成割合をより多くでき、５．０質量％以下であれば、単環芳香族炭化水素の収率をより高くできる。
【００３０】
［形状］
単環芳香族炭化水素製造用触媒は、反応形式に応じて、例えば、粉末状、粒状、ペレット状等にされる。例えば、本実施形態のように流動床の場合には粉末状にされ、別の実施形態のように固定床の場合には粒状またはペレット状にされる。流動床で用いる触媒の平均粒子径は３０〜１８０μｍが好ましく、５０〜１００μｍがより好ましい。また、流動床で用いる触媒のかさ密度は０．４〜１.８ｇ／ｃｃが好ましく、０．５〜１.０ｇ／ｃｃがより好ましい。
なお、平均粒子径は、ふるいによる分級で得られた粒径分布において５０質量％となる粒径を表し、かさ密度はＪＩＳ規格Ｒ９３０１−２−３の方法で測定された値である。
粒状またはペレット状の触媒を得る場合には、必要に応じて、バインダーとして触媒に不活性な酸化物を配合した後、各種成形機を用いて成形すればよい。
【００３１】
単環芳香族炭化水素製造用触媒がバインダー等の無機酸化物を含有する場合、バインダーとしてリンを含むものを用いても構わない。
【００３２】
（反応温度）
原料油を単環芳香族炭化水素製造用触媒と接触、反応させる際の反応温度については、特に制限されないものの、４００〜６５０℃とすることが好ましい。反応温度の下限は４００℃以上であれば原料油を容易に反応させることができ、より好ましくは４５０℃以上である。また、反応温度の上限は６５０℃以下であれば単環芳香族炭化水素の収率を十分に高くでき、より好ましくは６００℃以下である。
【００３３】
（反応圧力）
原料油を単環芳香族炭化水素製造用触媒と接触、反応させる際の反応圧力は、１．５ＭＰａＧ以下とすることが好ましく、１．０ＭＰａＧ以下とすることがより好ましい。反応圧力が１．５ＭＰａＧ以下であれば、軽質ガスの副生を抑制できる上に、反応装置の耐圧性を低くできる。
【００３４】
（接触時間）
原料油と単環芳香族炭化水素製造用触媒との接触時間は、実質的に所望する反応が進行すれば特に制限はされないが、例えば、単環芳香族炭化水素製造用触媒上のガス通過時間で１〜３００秒が好ましく、さらに下限を５秒、上限を１５０秒とすることがより好ましい。接触時間が１秒以上であれば、確実に反応させることができ、接触時間が３００秒以下であれば、コーキング等による触媒への炭素質の蓄積を抑制できる。または分解による軽質ガスの発生量を抑制できる。
【００３５】
＜触媒分離工程＞
触媒分離工程では、分解改質反応工程（分解改質反応器１０）から導出される、前記生成物と該生成物に同伴される前記単環芳香族炭化水素製造用触媒（以下、単に触媒と記すこともある。）とからなる混合物から、前記触媒を除去する。また、前記生成物中に含まれる３環芳香族炭化水素も共に分離除去する。
【００３６】
すなわち、この触媒分離工程は、前記混合物が供給される洗浄塔１２と、洗浄塔１２から導出された重質留分を固液分離して前記触媒を分離除去する触媒分離器１４とを備えて構成されている。
洗浄塔１２での操作について説明する。
分改質反応器１０からの生成物の蒸気は、洗浄塔１２の下部に供給される。洗浄塔１２では、洗浄塔１２の塔底液が抜き出され、ポンプで昇圧され、熱交換器で冷却された後、洗浄塔１２の中段に循環される。洗浄塔１２内では、蒸気の反応生成物と循環液とが向流接触することで、反応生成物中に僅かに含まれる分解改質反応器１０からの同伴触媒粒子が循環液に捕捉されることで、反応生成物からの触媒粒子を除去することが出来る。しかしながら、この循環液自体も循環使用されていることで、洗浄塔１２中段の循環液にも微量な触媒が存在する。気液向流接触させた場合、液滴が同伴することは避けられず、この液滴の中にも触媒が含まれるため、結果として反応生成物の蒸気中には極微量の触媒が残る。この同伴触媒粒子を含む液滴を捕捉分離するために、洗浄塔１２上部に触媒を含まない第一分離装置１６にて分離された重質留分および／又は精製回収工程にて分離された重質留分（３環芳香族炭化水素を多量に含む）を供給する。このように洗浄塔１２下部にて塔底循環液により大部分の触媒を除去し、さらに極微量の触媒を含む蒸気の反応生成物と触媒を全く含まない第一分離装置１６からの重質留分とを上部で向流接触させて触媒を含む液滴を捕捉するという二段階の処理によって、触媒粒子を除去するものである。
洗浄塔１２は、例えば、内部にバックルトレイが備えられて理論段が３段程度に設定されたもので、高温状態（例えば５５０℃）で供給される前記混合物を外部の冷却器（図示せず）に循環させて冷却させつつ、冷却されて一部液化した前記生成物から触媒を分離するものである。また、この洗浄塔１２には、後述する分離工程から洗浄液として３環芳香族炭化水素が供給されるようになっている。この洗浄液は、洗浄塔１２内において気液混合状態にある前記生成物を洗浄し、該生成物中に含有されている触媒を洗浄液中に移行させることにより、生成物中から触媒を効率良く分離除去する。
【００３７】
また、この洗浄塔１２は、水素、メタン、エタン等のガス分、ＬＰＧ等の軽質分、炭素数６〜８の単環芳香族炭化水素、炭素数９以上の単環芳香族炭化水素、炭素数１０以上の重質留分の一部を塔頂部から導出し、一方、３環芳香族炭化水素を主とする多環芳香族炭化水素等の重質留分や前記触媒を塔底部から導出する。ただし、後述する分離工程から洗浄液として３環芳香族炭化水素が洗浄塔１２に供給されることなどから、この洗浄塔１２の塔底部から導出される重質留分中には、洗浄塔１２内の混合物中の全ての３環芳香族炭化水素が含まれることなく、その一部のみが含まれる。すなわち、洗浄塔１２内の混合物中の３環芳香族炭化水素は、その全てが塔底部から導出されることなく、一部のみが導出されるようになっている。なお、この塔底部から導出する重質留分中には、３環芳香族炭化水素以外にも、２環芳香族炭化水素等の重質留分が含まれる。
【００３８】
触媒分離器１４は、例えば、フィルターを有して構成されたもので、洗浄塔１２から導出された触媒を含有する重質留分を固液分離し、重質留分から触媒を分離除去するものである。分離した触媒については、例えば、触媒再生塔（図示せず）に送り、ここで再生処理した後、分解改質反応工程にリサイクルするようにしてもよく、また、劣化が著しいものについては廃棄処理してもよい。触媒を除去した後の重質留分、すなわち３環芳香族炭化水素を主とする多環芳香族炭化水素については、例えば、触媒再生塔を加熱するための燃料（トーチオイル）として使用することができる。
【００３９】
＜分離工程＞
分離工程では、洗浄塔１２（触媒分離工程）の塔頂部から導出された導出物より、複数の分離装置によって少なくとも炭素数６〜８の単環芳香族炭化水素と炭素数９以上の重質留分とを、分離する。
すなわち、この分離工程は、本実施形態では第１分離装置１６と、デブタナイザー（第２分離装置）１８とを備えて構成されている。ただし、本発明の分離工程は必ずしもこれら２つの分離装置を必須とするわけではなく、例えば、単一又は複数の蒸留装置などで構成することができる。したがって、デブタナイザー（第２分離装置）１８を省略することもできる。また、必要に応じて、後述する第３分離装置２２を含めて、分離工程を構成してもよい。
【００４０】
第１分離装置１６は、前記導出物から水素やメタン、エタン等のガス成分と液体留分とを分離する。この第１分離装置１６としては、公知の気液分離装置が用いられる。気液分離装置の一例としては、気液分離槽と、該気液分離槽に生成物を導入する生成物導入管と、前記気液分離槽の上部に設けられたガス成分流出管と、前記気液分離槽の下部に設けられた液成分流出管とを具備するものが挙げられる。
本実施形態では、気液分離装置を二段配置し、前段１６ａで冷却して液体留分中の３環芳香族炭化水素を主とする重質留分（以下、３環芳香族炭化水素と記す。）を分離し、後段１６ｂで昇圧してガス成分と３環芳香族炭化水素分離後の液体留分とに分離するようにしている。
デブタナイザー１８（第２分離装置）は、第１分離装置１６で分離された液体留分からブタン等を含むＬＰＧ留分と、炭素数６以上の単環芳香族炭化水素を多く含む粗芳香族留分とに分離する。
【００４１】
＜３環芳香族炭化水素供給工程＞
前記第１分離装置１６における前段１６ａ（第１分離装置１６）で分離された３環芳香族炭化水素は、第１返送ライン２４によって洗浄液として洗浄塔１２（触媒分離工程）に返送される。すなわち、この第１返送ライン２４により、３環芳香族炭化水素を洗浄液として触媒分離工程に供給する、３環芳香族炭化水素供給工程が構成されている。
なお、本発明の３環芳香族炭化水素供給工程は、第１返送ライン２４によってのみ構成されることなく、例えば、後述する第２返送ライン２６によって構成するようにしてもよく、第１返送ライン２４、第２返送ライン２６の両方によって構成するようにしてもよい。さらには、第１分離装置１６以降の他のプロセスにおいて３環芳香族炭化水素を分離し、これを洗浄液として触媒分離工程に供給するようにしてもよく、その場合にはこの３環芳香族炭化水素の供給工程も３環芳香族炭化水素供給工程となる。
３環芳香族炭化水素を洗浄液として洗浄塔１２に供給することにより、洗浄塔１２内において気液混合状態にある前記生成物を洗浄し、該生成物中に含有されている触媒を洗浄液中に移行させ、生成物中から触媒を効率良く分離除去することができる。なお、洗浄塔１２に供給された３環芳香族炭化水素は、その一部が触媒とともに触媒分離器１４に導出される。また、残部は洗浄塔１２内を滞留し、あるいは第１分離装置１６に送られる。
【００４２】
＜精製回収工程＞
精製回収工程は、分離工程で分離された炭素数６〜８の単環芳香族炭化水素を精製回収装置２０によって精製回収する。
精製回収装置２０は、デブタナイザー１８で得られた粗芳香族留分から炭素数６〜８の単環芳香族炭化水素（ベンゼン／トルエン／キシレン）と、重質留分、すなわち主に炭素数９以上の重質留分からなる留分とに分離する。また、分離した炭素数６〜８の単環芳香族炭化水素をさらに精製し、ベンゼン、トルエン、キシレンをそれぞれ回収する。このような精製回収装置２０としては、公知の蒸留装置、例えば、ストリッパーのような多段蒸留装置が用いられる。
【００４３】
第３分離装置２２は、精製回収装置２０から分離された重質留分から炭素数９の重質留分と炭素数１０以上の重質留分とに分離する。そして、炭素数９の重質留分についてはこれを回収し、各種製品の基材などとして用いる。一方、炭素数１０以上の重質留分については、分解改質反応工程に戻して原料油とともに分解改質反応器１０内にて分解改質反応に供すべく、リサイクル工程に送る。ただし、この第３分離装置２２は本発明においては必須ではなく、これを省略して、精製回収装置２０から分離された炭素数９以上の重質留分をそのままリサイクル工程に送るようにしてもよい。
【００４４】
ここで、前記精製回収装置２０にて炭素数６〜８の単環芳香族炭化水素から分離された重質留分は、炭素数９以上の重質留分であり、多環芳香族炭化水素を主成分とし、ナフタレン、アルキルナフタレン類を多く含んでいる。また、３環芳香族炭化水素も僅かながら含んでいる。すなわち、洗浄塔１２や第１分離装置１６で分離しきれなかった３環芳香族炭化水素が、前記重質留分中に含まれている。したがって、３環芳香族炭化水素は第３分離装置２２によって炭素数１０以上の重質留分として分離される。
【００４５】
３環芳香族炭化水素は、前述したように、例えば、水素化反応物であっても分解改質反応工程における反応性が低く、ほとんど単環芳香族炭化水素に転換されることないため、分解改質反応工程にリサイクルしても反応効率の向上に寄与しない。
そこで、第３分離装置２２では、単環芳香族回収装置２０から分離された重質留分から、炭素数９の重質留分と炭素数１０以上の重質留分とに分離するだけでなく、炭素数９以上の重質留分から３環芳香族炭化水素を分離するようにしてもよい。そして、分離した３環芳香族炭化水素を、第２返送ライン２６によって洗浄液として洗浄塔１２（触媒分離工程）に返送する。その場合に、この第２返送ライン２６も、前述したように前記第１返送ライン２４とともに、３環芳香族炭化水素を洗浄液として触媒分離工程に供給する、３環芳香族炭化水素供給工程を構成するものとなる。
【００４６】
ただし、第３分離装置２２で分離される３環芳香族炭化水素の量はそれほど多くはない。したがって、３環芳香族炭化水素を分離することによる装置コストや運転コストの上昇を考慮し、ここで３環芳香族炭化水素を分離し返送することによる経済効果が少ない場合には、第３分離装置２２での３環芳香族炭化水素の分離を省略してもよい。
【００４７】
＜水素回収工程＞
水素回収工程では、分離工程（第１分離装置１６の後段１６ｂ）にて得たガス成分から、分解改質反応工程（分解改質反応器１０）にて副生した水素を、水素回収装置３０によって回収する。
水素を回収する方法としては、分離工程にて得たガス成分に含まれる水素とそれ以外のガスとを分離できれば特に制限はなく、例えば、圧力変動吸着法（ＰＳＡ法）、深冷分離法、膜分離法などが挙げられる。したがって、水素回収装置３０としては、これらの方法に基づいて水素を回収する装置（例えば、ＰＳＡ装置）が用いられる。
通常、水素回収工程にて回収される水素の量は、炭素数１０以上の重質留分を水素化するのに必要な量より多くなる。
【００４８】
「他の実施形態」
本発明は、前記実施形態同様に限定されることなく、本発明の主旨を逸脱しない範囲で種々の変更が可能である。分解改質反応工程より導出された混合物中から触媒分離工程で３環芳香族炭化水素を分離除去し、その後得られた炭素数１０以上の重質留分を分解改質反応工程に戻すようにしているので、分解改質反応工程に戻される重質留分には、分解改質反応工程において単環芳香族炭化水素に転換されにくい３環芳香族炭化水素がほとんど含まれておらず、したがってリサイクルされた重質留分（またはその水素化反応物）の単環芳香族炭化水素への転換効率が向上する。よって、原料油の供給量に対する総括的な単環芳香族炭化水素の収率を向上し、炭素数６〜８の単環芳香族炭化水素の収率を高めることができる。
【００４９】
また、分離工程でも３環芳香族炭化水素を分離しているので、リサイクルされる重質留分（またはその水素化反応物）の３環芳香族炭化水素含有率をより少なくすることができ、これによって前記重質留分の単環芳香族炭化水素への転換効率を向上することができる。
また、分離工程で分離した３環芳香族炭化水素を、第１返送ライン２４や第２返送ライン２６による３環芳香族炭化水素供給工程によって洗浄液として触媒分離工程に供給するので、触媒分離工程においてより効率的に触媒を分離除去することができる。
【産業上の利用可能性】
【００５０】
本発明は、ＦＣＣ装置から得られるＬＣＯおよび原油蒸留装置から得られる灯油、軽油等を原料にした単環芳香族炭化水素の製造に有用である。
【符号の説明】
【００５１】
１０…分解改質反応器、１２…洗浄塔、１４…触媒分離装置、１６…第１分離装置、１８…デブタナイザー（第２分離装置）、２０…精製回収装置、２２…第３分離装置、２４…第１返送ライン、２６…第２返送ライン、３０…水素回収装置。
【図１】
0005855355.tif 000002